(57)【要約】【課題】基板、ＬＥＤ、駆動回路および制御回路が一つの装置内に統合され、全体の構造を簡素化することができ、照明装置を組合せるのに便利なＬＥＤ照明装置およびその照明装置を有する照明モジュールを提供する。【解決手段】ＬＥＤ照明装置１は、基板１０、複数のＬＥＤ２０、駆動回路３０および制御回路４０を備える。複数のＬＥＤ２０、駆動回路３０および制御回路４０は相互に電気的に接続され、基板１０の一表面上に固定される。制御回路４０は、駆動回路３０を制御するのに使用され、駆動回路３０に駆動電源を出力させ、駆動電源によって複数のＬＥＤ２０を発光させる。【選択図】図２
0003146695.tif 000002
【実用新案登録請求の範囲】
【請求項１】
基板、複数のＬＥＤ、駆動回路および制御回路を備え、
前記複数のＬＥＤ、前記駆動回路および前記制御回路は、前記基板の一表面に設置されて相互に電気的に接続され、前記制御回路は、前記駆動回路を制御するのに使用され、前記駆動回路に駆動電源を出力させ、前記駆動電源によって前記複数のＬＥＤを発光させることを特徴とするＬＥＤ照明装置。
【請求項２】
更に、前記基板の他の表面に接続される放熱体を備えることを特徴とする請求項１記載のＬＥＤ照明装置。
【請求項３】
更に、ヒートパイプを備え、前記ヒートパイプは、受熱段および放熱段を有し、前記放熱体は複数の放熱板から構成され、前記放熱板には貫通孔が開設され、前記基板上には溝部が設けられ、前記受熱段は前記溝部内に収容され、前記放熱段は前記貫通孔内に貫設されることを特徴とする請求項２記載のＬＥＤ照明装置。
【請求項４】
更に、前記複数のＬＥＤ、前記駆動回路および前記制御回路に対応して被覆されるランプシェードを備えることを特徴とする請求項１記載のＬＥＤ照明装置。
【請求項５】
更に、防水ガスケットを備え、前記防水ガスケットは、前記ランプシェードと前記基板との間に挟設されることを特徴とする請求項４記載のＬＥＤ照明装置。
【請求項６】
更に、回路板を備え、前記回路板は、前記基板上に接続され、前記複数のＬＥＤ、前記駆動回路および前記制御回路は前記回路板に接続されることを特徴とする請求項１記載のＬＥＤ照明装置。
【請求項７】
更に、回路板を備え、前記回路板は、第１の回路板および第２の回路板から構成され、前記第１の回路板および第２の回路板はそれぞれ前記基板上に接続され、前記複数のＬＥＤは前記第１の回路板に接続され、前記駆動回路および前記制御回路は前記第２の回路板に接続されることを特徴とする請求項１記載のＬＥＤ照明装置。
【請求項８】
更に、回路板を備え、前記回路板は、第１の回路板、第２の回路板および第３の回路板から構成され、前記第１の回路板、第２の回路板および第３の回路板はそれぞれ前記基板上に接続され、前記複数のＬＥＤは前記第１の回路板に接続され、前記駆動回路は前記第２の回路板に接続され、前記制御回路は前記第３の回路板に接続されることを特徴とする請求項１記載のＬＥＤ照明装置。
【請求項９】
更に、固定アームを備え、前記固定アームの一端は、前記基板に接続され、前記固定アームの他端には穿孔が開設されることを特徴とする請求項１記載のＬＥＤ照明装置。
【請求項１０】
複数のＬＥＤ照明装置、複数の固定アームおよび接続ユニットを備え、
前記複数のＬＥＤ照明装置は、相互に対応して配列され、前記ＬＥＤ照明装置は、基板、複数のＬＥＤ、駆動回路および制御回路を備え、前記複数のＬＥＤ、前記駆動回路および前記制御回路は、前記基板の一表面に設置されて相互に電気的に接続され、前記制御回路は、前記駆動回路を制御するのに使用され、前記駆動回路に駆動電源を出力させ、前記駆動電源によって前記複数のＬＥＤを発光させ、
前記複数の固定アームは、前記複数の基板の両端にそれぞれ接続され、
前記接続ユニットは、前記固定アームと接続されることを特徴とするＬＥＤ照明装置を有する照明モジュール。
【請求項１１】
更に、前記基板の他の表面に接続される放熱体を備えることを特徴とする請求項１０記載のＬＥＤ照明装置を有する照明モジュール。
【請求項１２】
更に、ヒートパイプを備え、前記ヒートパイプは、受熱段および放熱段を有し、前記放熱体は複数の放熱板から構成され、前記放熱板には貫通孔が開設され、前記基板上には溝部が設けられ、前記受熱段は前記溝部内に収容され、前記放熱段は前記貫通孔内に貫設されることを特徴とする請求項１１記載のＬＥＤ照明装置を有する照明モジュール。
【請求項１３】
更に、前記複数のＬＥＤ、前記駆動回路および前記制御回路に対応して被覆されるランプシェードを備えることを特徴とする請求項１０記載のＬＥＤ照明装置を有する照明モジュール。
【請求項１４】
更に、防水ガスケットを備え、前記防水ガスケットは前記ランプシェードと前記基板との間に挟設されることを特徴とする請求項１３記載のＬＥＤ照明装置を有する照明モジュール。
【請求項１５】
更に、回路板を備え、前記回路板は前記基板上に接続され、前記複数のＬＥＤ、前記駆動回路および前記制御回路は前記回路板に接続されることを特徴とする請求項１０記載のＬＥＤ照明装置を有する照明モジュール。
【請求項１６】
更に、回路板を備え、前記回路板は第１の回路板および第２の回路板から構成され、前記第１の回路板および第２の回路板はそれぞれ前記基板上に接続され、前記複数のＬＥＤは前記第１の回路板に接続され、前記駆動回路および前記制御回路は前記第２の回路板に接続されることを特徴とする請求項１０記載のＬＥＤ照明装置を有する照明モジュール。
【請求項１７】
更に、回路板を備え、前記回路板は第１の回路板、第２の回路板および第３の回路板から構成され、前記第１の回路板、第２の回路板および第３の回路板はそれぞれ前記基板上に接続され、前記複数のＬＥＤは前記第１の回路板に接続され、前記駆動回路は前記第２の回路板に接続され、前記制御回路は前記第３の回路板に接続されることを特徴とする請求項１０記載のＬＥＤ照明装置を有する照明モジュール。
【請求項１８】
前記複数のＬＥＤ照明装置は、縦方向に配列され、前記接続ユニットは複数のねじおよび支持板から構成され、前記支持板は前記複数の固定アームに跨設されて前記複数のねじによって固定され、前記複数のＬＥＤ照明装置は直列接続されることを特徴とする請求項１０記載のＬＥＤ照明装置を有する照明モジュール。
【請求項１９】
前記複数のＬＥＤ照明装置は、横方向に配列され、前記接続ユニットは複数のねじおよび支持板から構成され、前記支持板と固定アームには前記複数のねじが貫設されて固定され、前記複数のＬＥＤ照明装置は並列接続されることを特徴とする請求項１０記載のＬＥＤ照明装置を有する照明モジュール。
【請求項２０】
前記固定アームは、Ｚ形の板体であることを特徴とする請求項１０記載のＬＥＤ照明装置を有する照明モジュール。
【請求項２１】
前記接続ユニットは、前記複数の固定アームと接続されるねじであることを特徴とする請求項１０記載のＬＥＤ照明装置を有する照明モジュール。
【考案の詳細な説明】
【技術分野】
【０００１】
本考案は、照明装置に関し、特に、ＬＥＤ照明装置およびその照明装置を有する照明モジュールに関する。
【背景技術】
【０００２】
照明に関する技術は発展しており、その中でも、ＬＥＤは最も注目され、発展速度の速い光源となっている。ＬＥＤは低電圧駆動および直流駆動であり、調光しやすく、制御回路のコストが安いという長所を有し、また、光源の体積が小さく、様々なデザインにすることができ、照明製品の、軽量化、小型化および薄型化を実現させることができる。
【０００３】
図１は、従来技術によるＬＥＤ照明装置を示す斜視図である。一般にＬＥＤ照明装置は、ランプホルダユニットａ、駆動回路ｂおよび制御回路ｃを備える。ランプホルダユニットａは複数のＬＥＤａ１およびその背面に接続される放熱体ａ２を備え、放熱体ａ２はＬＥＤａ１から発生する熱を除去するのに使用される。ランプホルダユニットａ、駆動回路ｂおよび制御回路ｃは導線によって電気的に接続される。この種のＬＥＤ照明装置の駆動回路ｂおよび制御回路ｃはランプホルダユニットａ上に固定されてなく、ＬＥＤ照明装置を取り付けるとき、駆動回路ｂおよび制御回路ｃを別に固定する必要があるので、取り付け作業が煩雑で不便である。また、駆動回路ｂおよび制御回路ｃはランプホルダユニットａの外部に設置され、好適な防水対策が施されない場合、駆動回路ｂおよび制御回路ｃは破損してしまう。また、ランプホルダユニットａ、駆動回路ｂおよび制御回路ｃは外部に露出した導線によって電気的に接続され、外部に露出した導線は破損しやすく、接触不良が起こりやすい。また、駆動回路ｂおよび制御回路ｃとランプホルダユニットａとの間の電気的な接続は、固定されたものであり、ランプホルダユニットａの個数を増加させたい場合、駆動回路ｂまたは制御回路ｃも変更する必要があり、駆動回路ｂおよび制御回路ｃをそのまま使用して、ランプホルダユニットａを直列または並列に組合せることはできない。
【特許文献１】特開２００７−２６５９９３号公報
【考案の開示】
【考案が解決しようとする課題】
【０００４】
本考案の第１の目的は、基板、複数のＬＥＤ、駆動回路および制御回路を一つのモジュール内に統合して全体の構造を簡素化し、照明装置を組合せるのに便利なＬＥＤ照明装置を提供することにある。
本考案の第２の目的は、基板の一面に接続された放熱体および基板と放熱体との間に設置されたヒートパイプによって、放熱機能を高めることができ、ＬＥＤ部分を正常な運転温度にしてＬＥＤの発光を安定させ、使用寿命を延長することができるＬＥＤ照明装置を提供することにある。
本考案の第３の目的は、固定アームと接続ユニットとを接続することによって、複数のＬＥＤ照明装置を直列または並列に配列させることができるＬＥＤ照明装置を有する照明モジュールを提供することにある。
【課題を解決するための手段】
【０００５】
上述の課題を解決するために、本考案はＬＥＤ照明装置を提供するものであり、基板、複数のＬＥＤ、駆動回路および制御回路を備える。複数のＬＥＤ、駆動回路および制御回路は全て基板の一表面に設置されて相互に電気的に接続される。制御回路は、駆動回路を制御するのに使用され、駆動回路に駆動電源を出力させ、その駆動電源によって複数のＬＥＤを発光させる。
ＬＥＤ照明装置は、更に、基板の他の一面に接続された放熱体を備える。放熱体は複数の間隔をあけて配列された放熱板から構成され、各放熱板上にはそれぞれ対応した貫通孔が開設され、基板の放熱体が接続される一面には溝部が開設される。また、ＬＥＤ照明装置は、更に、ヒートパイプを備える。ヒートパイプは受熱段および受熱段から延長された放熱段を備え、受熱段は溝部に収容され、放熱段は貫通孔に貫設される。
本考案は、更に、ＬＥＤ照明装置を有する照明モジュールを提供し、複数のＬＥＤ照明装置、複数の固定アームおよび接続ユニットを備える。複数のＬＥＤ照明装置は相互に対応して配列される。ＬＥＤ照明装置は基板、複数のＬＥＤ、駆動回路および制御回路を備える。複数のＬＥＤ、駆動回路および制御回路は全て基板の一表面に設置されて相互に電気的に接続される。制御回路は、駆動回路を制御するのに使用され、駆動回路に駆動電源を出力させ、その駆動電源によって複数のＬＥＤを発光させる。複数の固定アームは複数の基板の両端にそれぞれ接続される。接続ユニットは複数の固定アームと接続される。
【考案の効果】
【０００６】
本考案によるＬＥＤ照明装置は、基板、ＬＥＤ、駆動回路および制御回路が一つの装置内に統合されているので、全体の構造を簡素化することができ、照明装置を組合せるのに便利である。また、基板の一面に接続された放熱体および基板と放熱体との間に設置されたヒートパイプによって、放熱機能を高めることができ、ＬＥＤ部分を正常な運転温度にしてＬＥＤの発光を安定させ、使用寿命を延長することができる。また、固定アームと接続ユニットとを接続することによって、複数のＬＥＤ照明装置を直列または並列に配列させることができる。
【考案を実施するための最良の形態】
【０００７】
本考案の目的、特徴および効果を示す実施例を図に沿って詳細に説明する。
【０００８】
図２は、本考案のＬＥＤ照明装置を示す分解斜視図である。図３は、本考案のＬＥＤ照明装置の組立後の状態を示す斜視図である。図４は、本考案のＬＥＤ照明装置の組立後の状態を示す他の角度からの斜視図である。本考案はＬＥＤ照明装置を提供するものであり、主に、基板１０、複数のＬＥＤ２０、駆動回路３０および制御回路４０を備える。複数のＬＥＤ２０、駆動回路３０および制御回路４０は全て基板１０の一表面に設置され、複数のＬＥＤ２０、駆動回路３０および制御回路４０は相互に電気的に接続される。制御回路４０は、駆動回路３０を制御するのに使用され、駆動回路３０に駆動電源を出力させ、その駆動電源によって複数のＬＥＤ２０を発光させる。
【０００９】
ＬＥＤ照明装置１は、更に、基板１０の他の一面に接続される放熱体１２およびヒートパイプ１３を備える。基板１０上には溝部１１が設けられる。放熱体１２は複数の間隔をあけて配列された放熱板１２１から構成され、各放熱板１２１上にはそれぞれ対応した貫通孔１２２が開設される。ヒートパイプ１３は受熱段１３１および放熱段１３２を備え、受熱段１３１は溝部１１に収容され、放熱段１３２は貫通孔１２２内に貫設される。
【００１０】
ＬＥＤ照明装置１は、更に、ランプシェード１４および防水ガスケット１５を備える。ランプシェード１４は複数のＬＥＤ２０、駆動回路３０および制御回路４０に対応して基板１０上に被覆され、ランプシェード１４と基板１０との間には防水ガスケット１５が挟設されるので、水気が基板１０に進入して内部の素子が破損するのを防止できる。
【００１１】
使用時、ヒートパイプ１３の受熱段１３１が基板１０の溝部１１内に収容されているので、複数のＬＥＤ２０、駆動回路３０および制御回路４０から発生する熱は基板１０に伝導され、受熱段１３１から吸収され、放熱段１３２から各放熱板１２１上に伝導され、最後に各放熱板１２１を流れる気流によって外部に放出される。
【００１２】
また、ＬＥＤ照明装置１は、更に、回路板５０を備える。本実施例は、第１の回路板５１、第２の回路板５２および第３の回路板５３から構成され、第１の回路板５１、第２の回路板５２および第３の回路板５３はそれぞれ基板１０上に接続され、複数のＬＥＤ２０は第１の回路板５１に接続され、駆動回路３０は第２の回路板５２に接続され、制御回路４０は第３の回路板５３に接続される。また、第１の回路板５１、第２の回路板５２、第３の回路板５３はそれぞれ固定部材６０によって基板１０上に接続され、固定部材６０はねじとすることができる。
【００１３】
図５は、本考案の回路を示すブロック図である。ＬＥＤの発光強度およびＬＥＤの駆動電流は正比例し、若干の電圧変化によってＬＥＤの発光が大きく変化する。複数のＬＥＤ２０の発光を安定させるために、複数のＬＥＤ２０は駆動回路３０を利用して安定した駆動電源を取得する必要がある。また、制御回路４０は駆動回路３０を制御して複数のＬＥＤ２０に安定した駆動電源を提供するのに使用される。
【００１４】
図６は、本考案のＬＥＤ照明装置の第２の実施例を示す俯瞰図である。本実施例の回路板５０は、第１の回路板５１および第２の回路板５２から構成され、第１の回路板５１および第２の回路板５２は基板１０上にそれぞれ接続され、複数のＬＥＤ２０は第１の回路板５１に接続され、駆動回路３０および制御回路４０は第２の回路板５２上に接続される。それによって、光学部材および電気素子は別に組立てて接続することができ、製作の利便性を高めることができる。
【００１５】
図７は、本考案のＬＥＤ照明装置の第３の実施例を示す俯瞰図である。本実施例では単一の回路板５０が使用され、回路板５０は基板１０上に接続され、複数のＬＥＤ２０、駆動回路３０および制御回路４０は回路板５０上に接続される。それによって、ＬＥＤ２０、駆動回路３０および制御回路４０を基板１０に組立てる工程を簡素化でき、組立時間を短縮することができる。
【００１６】
図８は、本考案の照明モジュールのＬＥＤ照明装置および固定アームを示す斜視図である。図９は、本考案の照明モジュールのＬＥＤ照明装置を直列接続した状態を示す側面図である。図１０は、本考案の照明モジュールのＬＥＤ照明装置を並列接続した状態を示す側面図である。本考案は、ＬＥＤ照明装置を有する照明装置を提供するものであり、主に、複数のＬＥＤ照明装置１、複数の固定アーム７および接続ユニット８を備える（図９を参照）。ＬＥＤ照明装置１の基板１０の前後両端には、固定アーム７がそれぞれ接続される。固定アーム７はＺ形の板体であるが、それだけに制限されず、その他の形状または構造にすることができる。固定アーム７の中央位置部分には、穿孔７１が開設される。接続ユニット８は二つの固定アーム７の穿孔７１に貫設されるねじ（図示せず）とすることができる。
【００１７】
図９に示すように、各ＬＥＤ照明装置１の短辺を対面させて縦方向に配列させることができる。接続ユニット８は二つのねじ８１およびＵ形の支持板８２から構成され、支持板８２は二つの固定アーム７に跨設され、二つのねじ８１が貫設されて固定され、それによって、二つのＬＥＤ照明装置１を直列接続することができる。
【００１８】
図１０に示すように、各ＬＥＤ照明装置１の長辺を対面させて横方向に配列させることができる。接続ユニット８は複数のねじ８１および長方形の支持板８３から構成され、支持板８３および各固定アーム７にねじ８１が貫設されて固定され、それによって、複数のＬＥＤ照明装置を並列接続し、照射区域または面積を大幅に増加させることができる。
【００１９】
上述のように、本考案のＬＥＤ照明装置およびその照明装置を有する照明モジュールは、産業上の利用性、新規性および進歩性を有する。
【図面の簡単な説明】
【００２０】
【図１】従来技術によるＬＥＤ照明装置を示す斜視図である。
【図２】本考案のＬＥＤ照明装置を示す分解斜視図である。
【図３】本考案のＬＥＤ照明装置の組立後の状態を示す斜視図である。
【図４】本考案のＬＥＤ照明装置の組立後の状態を示す他の角度からの斜視図である。
【図５】本考案の回路を示すブロック図である。
【図６】本考案のＬＥＤ照明装置の第２の実施例を示す俯瞰図である。
【図７】本考案のＬＥＤ照明装置の第３の実施例を示す俯瞰図である。
【図８】本考案の照明モジュールのＬＥＤ照明装置および固定アームを示す斜視図である。
【図９】本考案の照明モジュールのＬＥＤ照明装置を直列接続した状態を示す側面図である。
【図１０】本考案の照明モジュールのＬＥＤ照明装置を並列接続した状態を示す側面図である。
【符号の説明】
【００２１】
１  ＬＥＤ照明装置
１０  基板
１１  溝部
１２  放熱体
１２１  放熱板
１２２  貫通孔
１３  ヒートパイプ
１３１  受熱段
１３２  放熱段
１４  ランプシェード
１５  防水ガスケット
２０  ＬＥＤ
３０  駆動回路
４０  制御回路
５０  回路板
５１  第１の回路板
５２  第２の回路板
５３  第３の回路板
６０  固定部材
７  固定アーム
７１  穿孔
８  接続ユニット
８１  ねじ
８２、８３  支持板
【図１】
0003146695.tif 000003
【図２】
0003146695.tif 000004
【図３】
0003146695.tif 000005
【図４】
0003146695.tif 000006
【図５】
0003146695.tif 000007
【図６】
0003146695.tif 000008
【図７】
0003146695.tif 000009
【図８】
0003146695.tif 000010
【図９】
0003146695.tif 000011
【図１０】
0003146695.tif 000012